(57)【要約】      （修正有）【課題】製作の手間を軽減できる集合体の製作方法、および、これに用いるパーツセットを提供する。【解決手段】ネックレス１０の製作方法は、準備工程と接続工程を含み、接続工程では、骨形パーツ２０〜２９，雲形パーツ３１〜３４，団子形パーツ４１から構成されるパーツセットを準備する。各パーツは、両端側に環状部をそれぞれ有し、各パーツの環状部の外径は他のパーツの環状部に挿し込んだときに当該他のパーツの環状部に係合するよう当該他のパーツの内径より大きく形成される。接続工程では、各パーツの環状部に他のパーツの環状部を挿し込むことにより各パーツを繋ぎ合わせて接続する。【選択図】図１
2018192252.tif 000002
【特許請求の範囲】
【請求項１】
集合体の製作方法であって、
少なくとも一方に穴が形成された１対の係合部を有する、複数の可撓性シートであり、一の当該可撓性シートの係合部は他の前記可撓性シートの係合部の穴に挿入されて係合するよう他の前記可撓性シートにおける係合部の穴径より大きく形成されている複数の可撓性シートを準備する準備工程と、
一の前記可撓性シートの係合部の穴に他の前記可撓性シートの係合部を撓ませながら挿し込むことにより前記可撓性シートを互いに繋ぎ合わせて接続する接続工程と、
を含む集合体の製作方法。
【請求項２】
前記準備工程において準備される前記複数の可撓性シートは、異なるデザインが施された複数種類の前記可撓性シートの中から各々選択されたものである、
請求項１に記載の集合体の製作方法。
【請求項３】
複数の可撓性シートからなるパーツセットであって、
前記可撓性シートの各々は、他の可撓性シートと係合する１対の係合部を有し、
前記１対の係合部のうち少なくとも一方には穴が形成されており、
一の前記可撓性シートが有する前記係合部の外径は、他の前記可撓性シートにおける前記１対の係合部の穴径より大きく、かつ、他の前記可撓性シートにおける前記１対の係合部の穴に撓ませながら挿入可能な大きさに形成されていることを特徴とする、
パーツセット。
【請求項４】
前記可撓性シートの各々は本体部を有し、
前記１対の係合部は、前記本体部の周りに配置され、かつ、環状に形成されている、請求項３に記載のパーツセット。
【請求項５】
前記本体部の幅寸法が前記１対の係合部の穴径よりも短く形成されている、
請求項４に記載のパーツセット。
【請求項６】
前記可撓性シートは、前記本体部と前記１対の係合部の境目に括れ部が形成されることにより、前記境目における幅寸法が前記１対の係合部の穴径よりも短くなるよう形成されている、
請求項４または５に記載のパーツセット。
【発明の詳細な説明】
【技術分野】
【０００１】
本発明は、集合体の製作方法、および、複数の可撓性シートからなるパーツセットに関する。
【背景技術】
【０００２】
一般に、ネックレスやストラップなどの集合体は複数のパーツを集め合わせて構成されており、このような集合体を製作する場合には、テグス等の紐に多数のビーズを隙間なく挿入し、テグス両端を互いに結び合わせることにより製作が行われる。
【先行技術文献】
【特許文献】
【０００３】
【特許文献１】実用新案登録第３０８８７８７号公報
【発明の概要】
【発明が解決しようとする課題】
【０００４】
上記従来の製作方法では、ビーズをテグスに挿入する必要があり、製作に手間がかかるという問題がある。
【０００５】
上記した課題に鑑み、本発明は、製作の手間を軽減できる集合体の製作方法、および、パーツセットを提供することを目的とする。
【課題を解決するための手段】
【０００６】
上記の目的を達成するため、本発明の一つは、集合体の製作方法であって、少なくとも一方に穴が形成された１対の係合部を有する、複数の可撓性シートであり、一の当該可撓性シートの係合部は他の前記可撓性シートの係合部の穴に挿入されて係合するよう他の前記可撓性シートにおける係合部の穴径より大きく形成されている複数の可撓性シートを準備する準備工程と、
一の前記可撓性シートの係合部の穴に他の前記可撓性シートの係合部を撓ませながら挿し込むことにより前記可撓性シートを互いに繋ぎ合わせて接続する接続工程と、を含むことを特徴とする。
【０００７】
また、前記準備工程において準備される前記複数の可撓性シートは、異なるデザインが施された複数種類の前記可撓性シートの中から各々選択されたことを特徴とする。
【０００８】
また、本発明の一つは、複数の可撓性シートからなるパーツセットであって、前記可撓性シートの各々は、他の可撓性シートと係合する１対の係合部を有し、前記１対の係合部のうち少なくとも一方には穴が形成されており、一の前記可撓性シートが有する前記係合部の外径は、他の前記可撓性シートにおける前記１対の係合部の穴径より大きく、かつ、他の前記可撓性シートにおける前記１対の係合部の穴に撓ませながら挿入可能な大きさに形成されていることを特徴とする。
【０００９】
また、前記可撓性シートの各々は本体部を有し、前記１対の係合部は、前記本体部の周りに配置され、かつ、環状に形成されていることを特徴とする。
【００１０】
また、前記本体部の幅寸法が前記１対の係合部の穴径よりも短く形成されていることを特徴とする。
【００１１】
また、前記可撓性シートは、前記本体部と前記１対の係合部の境目に括れ部が形成されることにより、前記境目における幅寸法が前記１対の係合部の穴径よりも短くなるよう形成されていることを特徴とする。
【発明の効果】
【００１２】
本発明の集合体の製作方法によれば、可撓性シートの係合部を他の可撓性シートの係合部に挿し込むことにより双方の可撓性シートを係合させて繋ぎ合わせることができる。このため、テグス等を用いることなく集合体を製作することができ、製作の手間を軽減することができる。
【００１３】
本発明のパーツセットによれば、各可撓性シートに設けられている係合部は他の可撓性シートの係合部に挿入した状態でその挿入された係合部に係合できる大きさに形成されている。このため、可撓性シートの係合部を他の可撓性シートの係合部に挿し込むだけで双方の可撓性シートを繋ぎ合わせることができる。
【図面の簡単な説明】
【００１４】
【図１】本発明の一実施形態に係る集合体の製作方法が適用されたネックレスの全体構成図である。
【図２】図２（ａ）は図１に含まれる骨形パーツの構成を示す図である。図２（ｂ）は図１に含まれる雲形パーツの構成を示す図である。図２（ｃ）は図１に含まれる団子形パーツの構成を示す図である。
【図３】本発明の一実施形態に係る集合体の製作方法におけるフローチャートを示す図である。
【図４】図２に示す雲形パーツと団子形パーツの他の接続態様を示す図である。
【図５】図５（ａ）は他の可撓性シートの構成を示す図である。図５（ｂ）はさらに他の可撓性シートの構成を示す図である。
【発明を実施するための形態】
【００１５】
以下、本発明の一実施形態に係る集合体の製作方法について、ネックレスを例に図面を参照しつつ説明する。
【００１６】
図１に示すように、集合体であるネックレス１０は、骨形パーツ２０〜２９と、雲形パーツ３１〜３４と、団子形パーツ４１とを環状に繋ぎ合わせて構成されている。これら骨形パーツ２０〜２９、雲形パーツ３１〜３４、及び団子形パーツ４１によってパーツセット１（図２）が構成されている。これらは、例えば、ポリ塩化ビニル等の可撓性を有するシートにより構成される。なお、可撓性を有するシートの素材として、薄いアクリル板等の樹脂素材、繊維素材、薄いステンレス板等の金属板を用いてもよい。
【００１７】
ここで、骨形パーツ２０〜２９の構成は同一であるため、主に骨形パーツ２０の構成について説明を行い、他の骨形パーツ２１〜２９については適宜説明を省略する。また、同様に、雲形パーツ３１〜３４の構成は同一であるため、雲形パーツ３１の構成について説明を行い、他の雲形パーツ３２〜３４については適宜説明を省略する。
【００１８】
図２（ａ）に示すように、骨形パーツ２０は、細長い帯状の外観を有する本体部２０ａと、本体部２０ａの両端側に設けられた環状部２０ｂ，２０ｃとから構成される。各環状部２０ｂ，２０ｃは、同一構成を備え、その外径は撓んだ状態で他の骨形パーツ２１〜２９の環状部に挿入可能な大きさに形成されている。この骨形パーツ２０は、図１に示すように、団子形パーツ４１の環状部４１ｂに挿し込んだ状態で本体部２０ａが折り曲げられ、環状部２０ｂ，２０ｃに骨形パーツ２１が挿し込まれている。そして、骨形パーツ２１は、骨形パーツ２０と同様に本体部２１ａが折り曲げられた状態で環状部２１ｂ，２１ｃに骨形パーツ２２が挿し込まれる。このようにして各骨形パーツ２０，２１，２２は互いに繋ぎ合わされ、他の骨形パーツ２３〜２９についても同様の構成で繋ぎ合わされる。
【００１９】
ここで、図２（ａ）に示すように、骨形パーツ２０における本体部２０ａの幅寸法Ｗ１は、環状部２０ｂの内径Ｄ１よりも短くなるように形成することが好ましい。また、環状部２０ｃの内径は、環状部２０ｂの内径Ｄ１の大きさと同じ大きさとすることが好ましい。これにより、骨形パーツ２１を骨形パーツ２０の環状部２０ｂ，２０ｃに挿し込んだ状態において、骨形パーツ２１の本体部２１ａの幅寸法が大きすぎるために環状部２０ｂ，２０ｃ内で突っ張ることがなく、双方の骨形パーツ２０，２１を互いに揺動可能な状態で繋ぎ合わすことができる。この結果、着用状態で身体の動きに追従してネックレス１０が適度に揺動できることとなる。
【００２０】
図２（ｂ）に示すように、雲形パーツ３１は、大小様々な大きさの円が少しずつ重なりあったような外観形状を有する本体部３１ａと、この本体部３１ａの周り（略両端部）に設けられた環状部３１ｂ，３１ｃとを有する。図１に示すように、この環状部３１ｂは雲形パーツ３２の環状部３２ｃに挿し込まれており、反対側の環状部３１ｃには骨形パーツ２９の環状部２９ｂ，２９ｃが挿し込まれ、それぞれ繋ぎ合わされている。この環状部３１ｂ，３１ｃは同一構成を備えるため、以下の説明では、主として環状部３１ｂについてのみ説明を行い、環状部３１ｃについては適宜説明を省略する。
【００２１】
図２（ｂ）に示すように、雲形パーツ３１の環状部３１ｂの内径Ｄ２は、上述した骨形パーツ２０における環状部２０ｂ，２０ｃの外径よりも小さく、本体部２０ａの幅寸法Ｗ１よりも大きくなるように形成されている。これにより、雲形パーツ３１の環状部３１ｃに骨形パーツ２９を挿し込むことにより双方のパーツを揺動可能な状態で係合させることができる。
【００２２】
また、この環状部３１ｂと本体部３１ａの境目には内側に向かって丸く括れた括れ部３１ａ−１，３１ａ−２が各々形成されている。この括れ部３１ａ−１，３１ａ−２を設けることにより、上記境目における本体部３１ａの幅寸法が環状部３１ｂの内径Ｄ２よりも若干短く形成されている。このため、図１に示すように、雲形パーツ３１の環状部３１ｂに雲形パーツ３２の環状部３２ｃを挿し込んだときに環状部３２ｃが括れ部３１ａ−１，３１ａ−２に嵌まり込む。これにより双方の雲形パーツ３１，３２を揺動可能な状態で繋ぎ合わせることができる。環状部３１ｃと本体部３１ａの境目にも括れ部３１ａ−１，３１ａ−２と同一構成を有する括れ部が３１ａ−３，３１ａ−４が設けられる。
【００２３】
図２（ｃ）に示すように、団子形パーツ４１は、一列に並んだ４つの円形部４１ａ−１〜４１ａ−４を棒で刺したような外観形状を有する本体部４１ａと、この本体部４１ａの両端に設けられた環状部４１ｂ，４１ｃとを有する。この環状部４１ｂ，４１ｃは、上述した雲形パーツ３１における環状部３１ｂと略同一の形状を具備し、当該環状部３１ｂと同等の内径を有する。このため、骨形パーツ２０を団子形パーツ４１の環状部４１ｂに挿し込んだ状態で、骨形パーツ２０の環状部２０ｂ，２０ｃが団子形パーツ４１の環状部４１ｂに係合されることにより抜け落ちるのを防止できる。
【００２４】
また、環状部４１ｂと本体部４１ａの境目、すなわち、環状部４１ｂと円形部４１ａ−１の間の幅寸法Ｗ２は、環状部４１ｂの内径Ｄ３よりも短く形成されており、雲形パーツ３１における括れ部３１ａ−１，３１ａ−２と同様に括れ部として機能する。
【００２５】
続いて、上述したネックレス１０の製作方法について図３を用いて説明する。図３は、ネックレス１０の製作方法のフローチャートである。図３に示すように、ネックレス１０の製作方法は、準備工程Ｓ１と接続工程Ｓ２とを備える。本実施形態では、準備工程Ｓ１において、１０枚の骨形パーツ２０〜２９，４枚の雲形パーツ３１〜３４，１枚の団子形パーツ４１を備えるパーツセット１を準備する。このように異なるデザインが施された複数のパーツから使用するパーツを任意に選択して用いることができる。また、製作するネックレスの寸法に応じて使用する上記パーツの枚数は適宜変更すればよい。
【００２６】
接続工程Ｓ２では、図１に示すように、団子形パーツ４１の環状部４１ｂに骨形パーツ２０の環状部２０ｂを弾性的に撓ませながら通して本体部２０ａまで挿し込み、挿し込んだ状態で本体部２０ａを折り曲げて環状部２０ｂ，２０ｃを重ね合わせた状態とする。そして、重ね合わせた環状部２０ｂ，２０ｃに骨形パーツ２１の環状部２１ｂを弾性的に撓ませながら通して本体部２１ａまで挿し込み、上記本体部２０ａと同様に、本体部２１ａを折り曲げて環状部２１ｂ，２１ｃを重ね合わせる。同様の手順で、残りの骨形パーツ２２〜２９を順に繋ぎ合わせる。それから、骨形パーツ２９の環状部２９ｂ，２９ｃを弾性的に撓ませながら雲形パーツ３１の環状部３１ｃに通し、環状部２９ｂ，２９ｃを元の状態に戻すことでこれらを繋ぎ合わせる。さらに、雲形パーツ３１の反対側の環状部３１ｂを雲形パーツ３２の環状部３２ｃに弾性的に撓ませながら通し、環状部３１ｂを元の状態に戻すことでこれらを繋ぎ合わせる。同様の手順で、雲形パーツ３３，３４についても繋ぎ合わせる。最後に、団子形パーツ４１の環状部４１ｃに雲形パーツ３４の環状部３４ｂを弾性的に撓ませながら挿し込んで繋ぎ合わせることでネックレス１０が完成する。
【００２７】
本実施形態のネックレス１０の製作方法によれば、骨形パーツ２０〜２９，雲形パーツ３１〜３４、団子形パーツ４１を互いに他のパーツの環状部に挿し込むことによりリング状をなす集合体とすることができる。このため、テグス等を用いることなくネックレスを製作することができ、製作の手間を軽減することができる。
【００２８】
＜変形例＞
（１）上記実施形態では、骨形パーツ２０〜２９を折り曲げた状態で繋ぎ合わせているが、雲形パーツ３１〜３４のように折り曲げずに繋ぎ合わせてもよい。すなわち、雲形パーツ３１と雲形パーツ３２を繋ぎ合わせている環状部３１ｂ，３２cや、雲形パーツ３４と骨形パーツ４１を繋ぎ合わせている環状部３４ｂ，４１ｃと同様に、可撓性シートである骨形パーツ２０の環状部２０ｂ，２０ｃは、骨形パーツ２１の環状部２１ｂ，２１ｃや、雲形パーツ３１の環状部３１ｂ，３１ｃや、団子形パーツ４１の環状部４１ｂ，４１ｃと係合する１対の係合部として機能する。
【００２９】
（２）上記実施形態では、ネックレス１０を例に挙げて本発明の集合体の製作方法の適用例を説明したが、例えば、鞄等に取り付けるストラップに適用してもよい。このように本発明は、飾りとして用いられるネックレス１０やストラップの製作方法およびパーツセット１として好ましい。また、飾りとしては、ネックレス１０やストラップに限られず、身に装着する装身具や、物品に用いられる装飾具であればよい。更には、パーツセット１は、装身具や装飾具などの飾りなどを製作する玩具として用いられても良い。
【００３０】
（３）また、上記実施形態では、可撓性シートとして骨形パーツ２０，雲形パーツ３１，団子形パーツ４１の３種類の異なるデザインのパーツを用いる例を挙げているが、使用するデザインの種類は４種類以上でもよいし、２種類より少なくてもよい。
【００３１】
（４）上記実施形態では、骨形パーツ２０〜２９、雲形パーツ３１〜３４、団子形パーツ４１を直列的に接続しているが、例えば図４に示すような接続態様であっても構わない。具体的には、団子形パーツ４２の環状部４２ｂに対して雲形パーツ３５の環状部３５ｂを通して接続し、当該雲形パーツ３５の環状部３５ｂに対して雲形パーツ３６の環状部３６ｂを通して接続してもよい。さらに、当該雲形パーツ３６の環状部３６ｂに対して他の可撓性シートの環状部を通してもよい。さらに、団子形パーツ４２の他の環状部（不図示）や雲形パーツ３５，３６の他の環状部（不図示）に対して、他の可撓性シートの環状部を通してもよい。このような接続態様によれば、網目状など平面的に広がる飾りを構成することができる。さらには、直列的に接続された複数の可撓性シートにより肩紐部を構成し、平面的に接続された複数の可撓性シートにより前面部および背面部を構成し、これらの肩紐部、前面部、及び背面部を互いに接続することで衣類を構成することもできる。
【００３２】
（５）また、可撓性シートの各々は、同形状の複数のシート材が貼り合わされて構成されても構わない。当該複数のシート材には同じ素材のものを用いても構わないし、異なる素材を用いても構わない。また、本体部のみや、環状部のみを複数のシート材により構成しても構わない。さらに、本体部のみを複数のシート材により構成する場合には、当該シート材の一つに可撓性を有しない素材を用いても構わない。
【００３３】
（６）また、例えば団子形パーツ４１の本体部４１ａを構成している複数の円形部４１ａ−１〜４１ａ−４に環状部４１ｂと同じ径の穴が開設されても構わない。
【００３４】
（７）また、図５（ａ）に示すように、１対の係合部５１ｂ，５１ｃと、他の１対の係合部５１ｄ，５１ｅと、を備える可撓性シート５１であっても構わない。係合部５１ｂと係合部５１ｄは、他の可撓性シートの係合部に形成された穴に挿入されることで係合する。これにより、可撓性シート５１と他の可撓性シートが連結される。また、係合部５１ｃと係合部５１ｅの円形の穴５１ｃ−１，５１ｅ−１には、さらに他の可撓性シートの係合部が挿入されることで係合する。これにより、可撓性シート５１とさらに他の可撓性シートが連結される。なお、係合部５１ｂと係合部５１ｄは穴が形成されていない円形であるが、係合部５１ｃや係合部５１ｅの穴５１ｃ−１，５１ｅ−１と同様の穴が形成されても構わない。
【００３５】
（８）上記の実施形態では係合部は全て円形であったが、必ずしも円形である必要はない。例えば、図５（ｂ）に示すように、１対の係合部６１ｂ，６１ｃは方形であり、その中央に方形の穴６１ｂ−１，６１ｃ−１が形成されている可撓性シート６１であっても構わない。あるいは、三角形や五角形といった多角形状のものであっても構わない。
【００３６】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００３７】
１    パーツセット
１０    ネックレス（集合体）
２０〜２９    骨形パーツ（可撓性シート）
２０ａ，２１ａ    本体部
２０ｂ，２０ｃ，２１ｂ，２１ｃ    環状部（係合部）
３１〜３６    雲形パーツ（可撓性シート）
３１ａ−１〜３１ａ−４    括れ部
３１ａ    本体部
３１ｂ，３１ｃ，３２ｃ，３４ｂ、３５ｂ、３６ｂ    環状部（係合部）
４１，４２    団子形パーツ（可撓性シート）
４１ａ    本体部
４１ｂ，４１ｃ，４２ｂ    環状部（係合部）
【図１】
2018192252.tif 000003
【図２】
2018192252.tif 000004
【図３】
2018192252.tif 000005
【図４】
2018192252.tif 000006
【図５】
2018192252.tif 000007